(57)【要約】【課題】波打ちプラテン構造に起因する画像ずれを改善すること。【解決手段】記録ヘッドを記録媒体の搬送方向と異なる方向に順次走査することにより、画像記録を行う記録媒体であって、記録ヘッドの走査方向と対向する位置に設けられ、記録ヘッドと対向する面に記録媒体搬送方向と同方向に延びるように設けられた複数のリブで凹凸を形成するプラテンと、その凹凸に合わせてスケールを調整しインク着弾位置のずれを補正するようにしたリニアエンコーダと、リニアエンコーダのスケール情報を読み取り、記録ヘッドを走査する手段を備え、又、前記リニアエンコーダは、前記記録媒体のリブ間に発生する凹凸に合わせ、スケールの間隔が均等でないよう構成する。【選択図】図２
2006192814.tif 000002
【特許請求の範囲】
【請求項１】
記録ヘッドを記録媒体の搬送方向と異なる方向に順次走査することにより、画像記録を行う記録媒体であって、記録ヘッドの走査方向と対向する位置に設けられ、記録ヘッドと対向する面に記録媒体搬送方向と同方向に延びるように設けられた複数のリブで凹凸を形成するプラテンと、その凹凸に合わせてスケールを調整しインク着弾位置のずれを補正するようにしたリニアエンコーダと、リニアエンコーダのスケール情報を読み取り、記録ヘッドを走査する手段を備えることを特徴とするインクジェット記録装置。
【請求項２】
前記リニアエンコーダは、前記記録媒体のリブ間に発生する凹凸に合わせ、スケールの間隔が均等でないことを特徴とする請求項１記載のインクジェット記録装置。
【請求項３】
前記リニアエンコーダは、前記記録媒体のリブ間に発生する凹凸に合わせ、スケール間隔が粗の部分と密の部分があることを特徴とする請求項１記載のインクジェット記録装置。
【発明の詳細な説明】
【技術分野】
【０００１】
本発明は、インクジェット記録装置に関する。
【背景技術】
【０００２】
従来、インクジェット記録装置においては、安定な記録を行うために記録媒体にインクが吐出された際に発生するしわや波打ち状の変形（以下、コックリングと言う）の影響を極力排除し、記録媒体の表面と記録ヘッドとの間隔を一定に保持しなければならない。又、元々湿気等によりカールを発生している記録媒体に対しても、プラテン上からヘッドの方向へ向けての紙浮きを防止しなければならない。
【０００３】
そこで、係る問題を解決するために、インクジェット記録装置の記録領域上に配置され、記録媒体の搬送方向と交差する方向に記録媒体に凹凸形状を付与する機構により、コックリングや紙浮きを防止するものがある（例えば、特許文献１参照）。
【０００４】
【特許文献１】特許第３４３２０５２号公報
【発明の開示】
【発明が解決しようとする課題】
【０００５】
しかしながら、上記従来例の記録領域上に配置され記録媒体に凹凸形状を付与する構成（以下、波打ちプラテンと言う）では、コックリングや紙浮きは防止できるが、それにより発生する記録媒体の凹凸により、記録ヘッドと記録媒体の間隔が一定ではない。これにより、等間隔で吐出したインクが記録媒体に等間隔に着弾しなくなることによる画像のずれが発生する。
【０００６】
本発明は、上記問題に鑑みてなされたもので、その目的とする処は、波打ちプラテン構造に起因する画像ずれを改善することを目的とする。
【課題を解決するための手段】
【０００７】
上記課題を達成するため、本発明のインクジェット記録装置は以下の構成を備える。
【０００８】
即ち、記録ヘッドを記録媒体の搬送方向と異なる方向に順次走査することにより画像記録を行う記録媒体であって、記録ヘッドの走査方向と対向する位置に設けられ、記録ヘッドと対向する面に記録媒体搬送方向と同方向に延びるように設けられた複数のリブで凹凸を形成するプラテンと、その凹凸に合わせてスケールを調整しインク着弾位置のずれを補正するようにしたリニアエンコーダと、リニアエンコーダのスケール情報を読み取り記録ヘッドを走査する手段により構成される。
【発明の効果】
【０００９】
本発明によれば、波打ちプラテンに起因する記録媒体の凹凸により、記録ヘッドと記録媒体の間隔が一定でなくなっても、波打ちプラテン固有の凹凸に合わせた位置情報を持つリニアエンコーダを備え、その位置情報に合わせて記録ヘッドを走査することにより、記録ヘッドと記録媒体との距離が均一でないことによる着弾位置ずれを補正でき、高画質な画像を得ることができる。
【発明を実施するための最良の形態】
【００１０】
以下、図面を参照して本発明のインクジェット記録装置に係る実施の形態を説明する。
＜実施の形態1＞
（１）インクジェット記録装置メカ構成の説明
図２において、１はインクを吐出して記録を行う記録ヘッド、２は記録ヘッド１を指示しつつ移動するキャリッジ、３はキャリッジ２を支持し案内するガイドレール、４はキャリッジ２を支持する支持レール、５はキャリッジ２から突出しキャリッジ２を支持して支持レール４上を移動するガイドコロ、６はキャリッジ２を駆動するキャリッジモータ（不図示）に直結されたプーリ（不図示）に巻掛けられたタイミングベルト、７は記録ヘッド１が待機中に記録ヘッド１の吐出ノズルが乾燥したり、汚れることを防止し、保護するためのキャップである。
【００１１】
８は紙等の記録媒体であり、９は記録媒体を搬送する給紙側駆動ローラである。１０は、給紙側駆動ローラ９に従動回転するレジストローラであり、図示しない付勢手段によって給紙側駆動ローラ９に押圧され、給紙側駆動ローラ９と対でレジストローラ対１１を形成している。
【００１２】
１２は記録媒体８を排紙する排紙側駆動ローラである。１３は、排紙側駆動ローラ１２に従動回転する排紙ローラであり、図示しない付勢手段によって排紙側駆動ローラ１２に押圧され、排紙側駆動ローラ１２と対で排紙ローラ対１４を形成している。そして、給紙側駆動ローラ９と排紙側駆動ローラ１２は図示しないモータによりギア列等を介して駆動されている。
【００１３】
１５は記録ヘッド１と対向した位置にあるプラテンで、その表面には記録媒体８の搬送方向に平行にリブ１６が複数本形成されている。尚、リブ１６は、記録媒体８に対して記録媒体の搬送方向と交差する方向の凹凸を付与し得るようにプラテン１５に配されていれば良く、少なくともプラテン１５に対して記録媒体の搬送方向と直交する向きでなければ良い。１８は記録媒体８をプラテン１５に倣わせるための紙押さえ板であり、プラテン１５のリブ１６上面と紙押さえ板１８の水平部２０が当接できるように配置されている。紙押さえ板１８には、プラテン１５上のリブ１６の間の凹部１７に対応してプラテン１５側へ突出した突起１９が設けられており、図示しない付勢手段によってプラテン１５側へ付勢されている。上記構成の装置において、図示しないモータによりタイミングベルト６を介して記録ヘッド１は記録媒体８上を往復し、インク滴を記録媒体８の所定の位置に吐出して記録を行う。
【００１４】
一方、記録媒体８は、図示しない給紙機構によりレジストローラ対１１のニップ位置まで給紙され、斜行等を矯正された後に、図示しないモータから図示しないギア列等を介して駆動されるレジストローラ対１１の回転により、記録位置まで搬送される。このとき、紙押さえ板１８はプラテン１５方向へ付勢押圧され、記録媒体８はプラテン１５上に形成されたリブ１６と紙押さえ板１８の突起１９により、プラテン１５のリブ１６部分で頂点となり、紙押さえ板１８の突起１９部分で谷となる波打ち形状となる。
（２）波打ちプラテンの説明
次に、図３を参照して波打プラテンについて説明する。
【００１５】
図３は図２の断面の拡大図である。
【００１６】
前記記録動作において、紙押さえ板１８を通過した記録媒体８は、プラテン１５上のリブ１６部分で頂点となり、図３の波線で示す記録媒体８aのような穏やかな波打ち形状となる。この形態においては記録媒体は波打ち形状が施されているので、記録媒体に腰の強さが与えられているために、記録媒体のカールやコックリングの影響も矯正され、従って、記録ヘッド１側に浮くことがない。
（３）制御構成の説明
次に、装置構成の各部の記録制御を実行するための制御構成について、図４に示すブロック図を参照して説明する。
【００１７】
制御回路を示す同図において、４０６は記録信号を入力するインターフェ−ス、４０３はＣＰＵ、４０２はＣＰＵ４０３が実行する制御プログラムを格納するプログラムＲＯＭ、４０５は各種データ（上記記録信号やヘッドに供給される記録データ等）を保存しておくダイナミック型のＲＡＭ（ＤＲＡＭ）であり、印字ドット数や、インク記録ヘッドの交換回数等も記憶できる。
【００１８】
４０４は記録ヘッドに対する記録データの供給制御を行うゲートアレイであり、インターフェース（４０６）、ＣＰＵ（４０３）、ＤＲＡＭ（４０５）間のデータの転送制御も行う。４０９は記録ヘッドを搬送するためのキャリッジモータ（ＬＦモータ）、４１０は記録用紙搬送のための搬送モータ（ＣＲモータ）である。４０７，４０８は各々搬送モータ（４１０）、キャリッジモータ（４０９）を駆動するモータドライバである。４１１は記録ヘッドの走査方向に平行に配置されているリニアエンコーダで、４１２はリニアエンコーダ４１１を読み取るキャリッジ上に配置されたエンコーダセンサであり、４１３は記録ヘッドである。
（４）リニアエンコーダの説明
次に、図１を用いて、波打プラテンの凹凸を補正するリニアエンコーダを用いた動作説明をする。
【００１９】
１０１は本実施形態の波打プラテンの凹凸を補正するためにスケールの間隔をリブの位置に合わせ調整したリニアエンコーダである。１００は、通常のリニアエンコーダで等間隔にスケールが配置されており、１０１のリニアエンコーダと比較するために記述した。
【００２０】
１０２は記録媒体、１０３は記録ヘッドより吐出されたインク滴である。１０４ａ及び１０４ｂはプラテンのリブで、１０５がプラテンである。
【００２１】
１１０は記録ヘッドの記録方向である。この図のように、左から右に記録ヘッドにより記録をする場合、記録ヘッドからエンコーダ位置１０１ａで吐出されたインク滴は記録ヘッドの移動速度も加わり、１０３ａの位置に着弾する。
【００２２】
リブ１０４ａと１０４ｂにより記録媒体１０２が凹凸する。リブ１０４ａを頂点として記録媒体１０２の凹む部分１０６に合わせて、リニアエンコーダ１０１のスケール１０８は、通常より細かく刻み、記録媒体１０２上の着弾位置を等間隔に保つ。
【００２３】
リブ１０４ａと１０４ｂの中間で記録媒体１０２が一番凹む部分からリブ１０４ｂの頂点まで部分１０７に合わせて、リニアエンコーダ１０１のスケール１０７は通常よりも荒く刻み、記録媒体１０２上の着弾位置を等間隔に保つ。
【図面の簡単な説明】
【００２４】
【図１】本発明の特徴を示した図である。
【図２】本発明を適応可能なインクジェット記録装置の構成を示す図である。
【図３】本発明を適応可能なプラテンの断面図である。
【図４】本発明を適応可能なインクジェット記録装置の制御ブロック図である。
【符号の説明】
【００２５】
１          記録ヘッド
２          キャリッジ
３          ガイドレール
４          支持レール
５          ガイドコロ
６          タイミングベルト
７          キャップ
８          記録媒体
９          給紙側駆動ローラ
１０        レジストローラ
１１        レジストローラ対
１２        排紙側駆動ローラ
１３        排紙ローラ
１４        排紙ローラ対
１５        プラテン
１６        リブ
１７        凹部
１８        紙押さえ板
１９        突起
４０２      プログラムＲＯＭ
４０３      ＣＰＵ
４０４      ゲートアレイ
４０５      ＤＲＡＭ
４０６      インターフェ−ス
４０７      モータドライバ
４０８      モータドライバ
４０９      キャリッジモータ（ＬＦモータ）
４１０      搬送モータ（ＣＲモータ）
４１１      リニアエンコーダ
４１２      エンコーダセンサ
４１３      記録ヘッド
１００      リニアエンコーダ
１０１      リニアエンコーダ
１０１ａ    エンコーダ位置
１０２      記録媒体
１０３      インク滴
１０３ａ    インク滴着弾位置
１０４ａ    リブ
１０４ｂ    リブ
１０５      プラテン
１０６      スケール
１０７      スケール
１０８      スケール
１０９      スケール
１１０      記録ヘッドの記録方向
【図１】
2006192814.tif 000003
【図２】
2006192814.tif 000004
【図３】
2006192814.tif 000005
【図４】
2006192814.tif 000006